(57)【要約】【課題】配光制御部材の着脱が可能で、配光制御部材を取り付けていない状態でも使用でき且つ見栄えの良い照明器具を提供する。【解決手段】ランプ１および反射板５を有し配線ダクト３０に取り付けられる灯具２と、灯具２に着脱自在に取付可能な配光制御部材４とを備える。灯具２は、合成樹脂製のエンド部材６，６を備える。配光制御部材４には取付板７，７が固着されており、取付板７，７には、つまみねじからなる取付ねじ８，８が挿通されるねじ挿通孔が形成されている。エンド部材６，６に収納された各ソケット台は、取付ねじ８，８を螺合させる取付孔が形成された固定片が延設されているが、蓋体６１，６１によって取付孔が覆われている。蓋体６１はエンド部材６の下壁６ａの一部により矩形状に形成され、外周の３辺に沿ってコ字状のスリット６２が形成されており、エンド部材６から切除可能となっている。【選択図】　　　図１
2004111281.tif 000002
【特許請求の範囲】
【請求項１】
ランプを保持するランプソケットおよびランプから放射された光を反射する反射部材を有する灯具と、灯具に着脱自在に取付可能でありランプから放射された光による配光を制御する配光制御部材とを備え、灯具は、配光制御部材を取り付ける固定部が配光制御部材を通して見えない位置に設けられ、配光制御部材が取り付けられていない状態で固定部を覆う蓋体が設けられてなることを特徴とする照明器具。
【請求項２】
前記灯具は、前記蓋体が切除可能に設けられてなることを特徴とする請求項１記載の照明器具。
【請求項３】
前記蓋体は、前記固定部を覆う位置と前記固定部を覆わない位置との間でスライド自在となるように前記灯具に保持されてなることを特徴とする請求項１記載の照明器具。
【請求項４】
前記灯具には、前記蓋体が前記固定部を覆う方向に前記蓋体を付勢する復帰ばねが収納されてなることを特徴とする請求項３記載の照明器具。
【請求項５】
ランプを保持するランプソケットおよびランプから放射された光を反射する反射部材を有する灯具と、灯具に着脱自在に取付可能でありランプから放射された光による配光を制御する配光制御部材とを備え、配光制御部材が長板状のパネルであって、灯具にはパネルの長手方向の両端部それぞれが挿入され且つパネルを短手方向に沿ってスライド自在に保持するスリットが形成された一対のエンド部材が設けられてなることを特徴とする照明器具。
【請求項６】
前記パネルは、弾性材により形成されてなることを特徴とする請求項５記載の照明器具。
【請求項７】
ランプを保持するランプソケットおよびランプから放射された光を反射する反射部材を有する灯具と、反射部材に着脱自在に取付可能でありランプから放射された光による配光を制御する配光制御部材とを備え、反射部材は、配光制御部材が所望の配光を得るための位置とランプの交換を可能とする位置との間で移動可能となるように灯具にスライド自在に保持されてなることを特徴とする照明器具。
【請求項８】
ランプを保持するランプソケットおよびランプから放射された光を反射する反射部材を有する灯具と、灯具に着脱自在に取付可能でありランプから放射された光による配光を制御する配光制御部材とを備え、配光制御部材は長手方向に直交する断面が円弧状のパネルであって、灯具は、配光制御部材の長手方向の両端部それぞれが挿入される円弧状のスリットが形成されたエンド部材を有し、配光制御部材を前記長手方向に直交する面内で回動自在となるように保持する保持手段がエンド部材内に設けられてなることを特徴とする照明器具。
【請求項９】
ランプを保持するランプソケットおよびランプから放射された光を反射する反射部材を有する灯具と、灯具に着脱自在に取付可能でありランプから放射された光による配光を制御する配光制御部材とを備え、灯具は、配光制御部材の長手方向の両端部それぞれを保持する一対のエンド部材を有し、エンド部材は、配光制御部材の端部が長手方向に直交する方向からスライド自在に収納される第１の分割体と、第１の分割体に結合される第２の分割体とからなることを特徴とする照明器具。
【発明の詳細な説明】
【０００１】
【発明の属する技術分野】
本発明は、照明器具に関するものである。
【０００２】
【従来の技術】
従来から、ランプを保持するランプソケットおよびランプから放射された光を反射する反射板を有する灯具と、ランプおよびランプソケットおよび反射板を覆うように灯具に一対の取付金具を用いて取着される透光性材料からなるカバーとを備えた照明器具が提案されている（例えば、特許文献１参照）。特許文献１に記載された照明器具では、取付金具が反射板におけるランプとの対向面側に取着されており、カバーの一端部が各取付金具の下端部にヒンジ部を介して回動自在に取着されているので、ランプの交換作業が容易であるという利点がある。
【０００３】
また、従来から、ランプを保持した灯具に所謂Ｖばねを介して透光製材料からなるカバーを取着した構成の照明器具も提案されている（例えば、特許文献２，３，４参照）。
【０００４】
また、ランプを保持する灯具の両端部それぞれに設けた一対のサイドキャップにより回動自在に保持されたカバーを備えた照明器具も提案されている（例えば、特許文献５参照）。ここに、各サイドキャップの互いの対向面にはカバーを回動自在に保持するための円環状の溝が形成されている。
【０００５】
また、図２８に示すように、リード線（図示せず）により互いに接続され配線ダクト３０に取り付けられる一対の本体２ａ，２ｂと、各本体２ａ，２ｂそれぞれに設けられたランプソケット（図示せず）間に保持された直管形蛍光ランプからなるランプ１と、上記リード線が収納され本体２ａ，２ｂ間に架設される支持パイプ３とを備え配線ダクト３０に取り付けられる照明器具も提案されている。この照明器具では、ランプ１の側方および上方を覆う配光制御部材４’（図２９参照）をアクセサリとして支持パイプ３に着脱自在に取り付けることができるようになっている。配光制御部材４’は、断面コ字状であって、両側片４ｂ’，４ｂ’がランプ１の側方に位置し両側片４ｂ’，４ｂ’を連結する中央片４ａ’がランプ１の上方に位置するように支持パイプ３に取り付けられるものであり、中央片４ａ’の下面には支持パイプ３に固定するための止め金具４ｃ’が設けられている。ここに、配光制御部材４’を支持パイプ３に取り付ける際には、図３０（ａ）に示すように配光制御部材４’を傾けた状態から、止め金具４ｃ’が支持パイプ３を掴むように配光制御部材４’を移動させ、図３０（ｂ）に示すように配光制御部材４’の傾きがなくなるように配置すればよい。なお、上記特許文献１〜４ではカバーが配光制御部材を構成している。
【０００６】
図２８に示した照明器具では、配光制御部材４’を支持パイプ３へ着脱自在に取り付けることができるので、あらかじめ種々の配光制御部材４’を用意しておけば、配光制御部材４’を適宜交換することで所望の配光を得ることができるという利点がある。また、この照明器具では、一対の本体２ａ，２ｂのうちの一方に設けたランプソケットが固定され他方に設けたランプソケットがランプ１の長手方向に可動できるように構成されているので、ランプ１を可動となっているランプソケット側へ押しつければ固定側のランプソケットからランプ１を外すことができるようになっている。
【０００７】
【特許文献１】
特開２０００−２８５７２３号公報（第２頁−第３頁、図１、図３、図５）
【特許文献２】
特開平８−１７２２７号公報（第３頁−第４頁、図１、図４）
【特許文献３】
特開平８−３１２１９号公報（第４頁−第６頁、図３、図６）
【特許文献４】
特開平８−２００３３６号公報（第４頁−第６頁、図１、図３、図５）
【特許文献５】
実開平７−２７０１５号公報（第７頁−第１０頁、図１）
【０００８】
【発明が解決しようとする課題】
ところで、特許文献１に記載の照明器具では、ランプの交換作業が容易であるという利点があるが、外部から配光制御部材であるカバーを通して取付金具が見えてしまうので、見栄えが良くなかった。
【０００９】
また、特許文献２〜４に記載の照明器具は、Ｖばねによって配光制御部材としてのカバーを引き上げることができ、比較的大きな照明器具や埋込型の照明器具に有効であるが、Ｖばねを取り付けるためのカバー枠やＶばねを引き上げるための金具が必要であり、配光制御部材を外して使用することができなかった。
【００１０】
また、特許文献５に記載の照明器具は、配光制御部材としてのカバーを回動させることでランプを交換することができるという利点があるが、カバーを回動自在に保持するために専用のサイドキャップを設けたものであり、カバーを外して使用することができなかった。
【００１１】
また、図２８に示した構成の照明器具では、配光制御部材４’を取り外せば容易にランプ１の交換作業を行うことができる。しかしながら、配光制御部材４’が必要なくて配光制御部材４’を支持パイプ３に取り付けていない状態では支持パイプ３が外部から見えるので、見栄えが良くなかった。また、配光制御部材４’を支持パイプ３に取り付けた構成では、止め金具４ｃ’や支持パイプ３が影となって目立つ場合があるという不具合があった。
【００１２】
本発明は上記事由に鑑みて為されたものであり、その目的は、配光制御部材の着脱が可能で、配光制御部材を取り付けていない状態でも使用でき且つ見栄えの良い照明器具を提供することにある。
【００１３】
【課題を解決するための手段】
請求項１の発明は、上記目的を達成するために、ランプを保持するランプソケットおよびランプから放射された光を反射する反射部材を有する灯具と、灯具に着脱自在に取付可能でありランプから放射された光による配光を制御する配光制御部材とを備え、灯具は、配光制御部材を取り付ける固定部が配光制御部材を通して見えない位置に設けられ、配光制御部材が取り付けられていない状態で固定部を覆う蓋体が設けられてなることを特徴とするものであり、灯具への配光制御部材の着脱が可能で配光制御部材を交換することで配光を変化させることができ、しかも固定部が配光制御部材を通して見えることもないので、配光制御部材を取り付けた状態での見栄えを良くすることができ、また、配光制御部材を取り付けていない状態でも使用でき、しかも、配光制御部材が取り付けられていない状態で固定部を覆う蓋体が設けられているので、見栄えを良くすることができる。
【００１４】
請求項２の発明は、請求項１の発明において、前記灯具は、前記蓋体が切除可能に設けられているので、前記配光制御部材を取り付ける場合には前記蓋体を切除すればよく、前記配光制御部材の取り付けに際して前記蓋体が邪魔になるのを防止することができる。
【００１５】
請求項３の発明は、請求項１の発明において、前記蓋体は、前記固定部を覆う位置と前記固定部を覆わない位置との間でスライド自在となるように前記灯具に保持されているので、前記配光制御部材を一度取り付けてから取り外した場合でも前記固定部を前記蓋体により覆うことができる。
【００１６】
請求項４の発明は、請求項３の発明において、前記灯具には、前記蓋体が前記固定部を覆う方向に前記蓋体を付勢する復帰ばねが収納されているので、前記配光制御部材を取り付ける際には復帰ばねのばね力に抗して前記蓋体をスライドさせればよく、前記配光制御部材を一度取り付けてから取り外す際には、前記復帰ばねの復帰力によって前記固定部が前記蓋体により覆われるから、前記固定部を自動的に覆うことができる。
【００１７】
請求項５の発明は、ランプを保持するランプソケットおよびランプから放射された光を反射する反射部材を有する灯具と、灯具に着脱自在に取付可能でありランプから放射された光による配光を制御する配光制御部材とを備え、配光制御部材が長板状のパネルであって、灯具にはパネルの長手方向の両端部それぞれが挿入され且つパネルを短手方向に沿ってスライド自在に保持するスリットが形成された一対のエンド部材が設けられてなることを特徴とするものであり、配光制御部材の着脱が可能で配光制御部材を交換することで配光を変化させることができ、しかも配光制御部材は両端部がエンド部材のスリットに保持されているので、配光制御部材を取り付けた状態での見栄えを良くすることができ、また、配光制御部材を取り付けていない状態でも使用でき、しかも、配光制御部材が取り付けられていない状態ではスリットが見えるだけなので、見栄えを良くすることができる。また、パネルを取り外すことなく、パネルを短手方向に沿ってスライドさせることでランプの交換作業を容易に行うことができるという利点もある。
【００１８】
請求項６の発明は、請求項５の発明において、前記パネルは、弾性材により形成されているので、前記ランプと前記パネルとの間の隙間が指の入りにくい狭い隙間である場合でも、前記パネルを取り外すことなく、前記ランプと前記パネルとの間の隙間が大きくなるように前記パネルを弾性変形させてランプの交換作業を行うことが可能となる。
【００１９】
請求項７の発明は、ランプを保持するランプソケットおよびランプから放射された光を反射する反射部材を有する灯具と、反射部材に着脱自在に取付可能でありランプから放射された光による配光を制御する配光制御部材とを備え、反射部材は、配光制御部材が所望の配光を得るための位置とランプの交換を可能とする位置との間で移動可能となるように灯具にスライド自在に保持されてなることを特徴とするものであり、配光制御部材の着脱が可能で配光制御部材を交換することで配光を変化させることができるとともに配光制御部材を取り付けた状態での見栄えを良くすることができ、また、配光制御部材を取り付けていない状態でも使用でき、しかも、見栄えを良くすることができる。また、器具のコンパクト化を図って配光制御部材とランプとの間の隙間が指の入りにくい狭い隙間である場合でも、反射部材をスライドさせることで配光制御部材を取り外すことなくランプの交換作業を容易に行うことができるという利点もある。
【００２０】
請求項８の発明は、ランプを保持するランプソケットおよびランプから放射された光を反射する反射部材を有する灯具と、灯具に着脱自在に取付可能でありランプから放射された光による配光を制御する配光制御部材とを備え、配光制御部材は長手方向に直交する断面が円弧状のパネルであって、灯具は、配光制御部材の長手方向の両端部それぞれが挿入される円弧状のスリットが形成されたエンド部材を有し、配光制御部材を前記長手方向に直交する面内で回動自在となるように保持する保持手段がエンド部材内に設けられてなることを特徴とするものであり、配光制御部材の着脱が可能で配光制御部材を交換することで配光を変化させることができ、しかも配光制御部材は両端部がエンド部材内で保持されているので、配光制御部材を取り付けた状態での見栄えを良くすることができ、また、配光制御部材を取り付けていない状態でも使用でき、しかも、配光制御部材が取り付けられていない状態ではスリットが見えるだけなので、見栄えを良くすることができる。また、パネルを取り外すことなく、パネルを弧状のスリットに沿って回動させることでランプの交換作業を容易に行うことができるという利点もある。
【００２１】
請求項９の発明は、ランプを保持するランプソケットおよびランプから放射された光を反射する反射部材を有する灯具と、灯具に着脱自在に取付可能でありランプから放射された光による配光を制御する配光制御部材とを備え、灯具は、配光制御部材の長手方向の両端部それぞれを保持する一対のエンド部材を有し、エンド部材は、配光制御部材の端部が長手方向に直交する方向からスライド自在に収納される第１の分割体と、第１の分割体に結合される第２の分割体とからなることを特徴とするものであり、配光制御部材の着脱が可能で配光制御部材を交換することで配光を変化させることができ、しかも配光制御部材は両端部がエンド部材内で保持されているので、配光制御部材を取り付けた状態での見栄えを良くすることができ、また、配光制御部材を取り付けていない状態でも使用でき、しかも、配光制御部材を取り付けていない状態での見栄えを良くすることができる。
【００２２】
【発明の実施の形態】
（実施形態１）
本実施形態の照明器具は、天井に敷設された配線ダクトに取り付ける照明器具であって、図１に示すように、直管形蛍光ランプからなるランプ１を保持する一対のランプソケット（図示せず）およびランプ１の光を反射する反射部材たる反射板５を有し配線ダクト３０に取り付けられる灯具２と、ランプ１を覆うように灯具２に着脱自在に取着されランプ１から放射された光による配光を制御する配光制御部材４とを備えている。なお、配光制御部材４としては、透光性材料からなりランプ１の側方および下方を覆うカバーを採用している。
【００２３】
ここにおいて、灯具２は、長手方向に直交する断面が上向きに開放したコ字状に形成され配線ダクト３０と長手方向を一致させた形で配線ダクト３０が嵌合する鋼板製の器具本体（図示せず）と、長手方向に直交する断面が上向きに開放したコ字状に形成され器具本体に取着される鋼板製の反射板５と、それぞれランプソケットが取着され器具本体の長手方向の両端部に設けられたソケット台（図示せず）と、器具本体の長手方向の両端部それぞれに設けられソケット台を覆う合成樹脂製（例えば、ＡＢＳ樹脂製）のエンド部材６，６とを備えている。なお、器具本体には、配線ダクト３０に着脱自在に取り付けるための配線ダクト用プラグも取着されているが、配線ダクト用プラグについては周知の構成を採用すればよいので説明を省略する。
【００２４】
また、器具本体は、両脚片を連結する中央片の下面側に、ランプ１を点灯させる安定器からなる点灯装置などが配設されているが、点灯装置は反射板５によって覆われて外部から見えないようになっている。
【００２５】
ところで、配光制御部材４は、上向きに開放した断面コ字状であって、ランプ１の下方に位置する中央片４ａと、中央片４ａの短手方向の両端縁からそれぞれ上方へ延設された一対の側片４ｂ，４ｂとが連続一体に形成されており、中央片４ａの長手方向の両端部それぞれに矩形板状の取付板７，７の長手方向の一端部が固着されている。ここに、各取付板７，７の長手方向の他端縁には上方に突出する位置決め片７ｂ，７ｂが延設されており、位置決め片７ｂ，７ｂの互いの対向面をエンド部材６，６の外側面に重ねることで配光制御部材４の長手方向の位置決めを行うことができるようになっている。また、各取付板７，７には、位置決め片７ｂ，７ｂの近傍につまみねじからなる取付ねじ８，８が挿通されるねじ挿通孔（図示せず）が形成されている。
【００２６】
これに対して、各ソケット台は、取付ねじ８，８を螺合させる取付孔９ａ，９ａ（図２（ｂ）参照）が形成された固定片９，９（図２（ｂ）参照）が下端縁から互いに離れる向きへ延設されているが、エンド部材６，６に連続一体に設けられた蓋体６１，６１（図２（ａ）参照）によって取付孔９ａ，９ａが覆われているので、外部から取付孔９ａ，９ａが見えないようになっている。ここに、蓋体６１はエンド部材６の下壁６ａの一部により矩形状に形成され、外周の３辺に沿ってコ字状のスリット６２が形成されており、エンド部材６から切除可能となっている。したがって、配光制御部材４を灯具２に取り付ける際には、例えば図２（ａ）に示すようにマイナスドライバ１１などの先端部をスリット６２における蓋体６１の自由端側の部位に差し込んで同図中の矢印Ｂの向きへこじって蓋体６１を折ること（つまり、蓋体６１を切除すること）で、取付孔９ａを露出させることができるようになっている。要するに、灯具２へ配光制御部材４を取り付ける場合には、各エンド部材６，６の蓋体６１，６１を切除した後で、取付板７，７をエンド部材６，６の下壁６ａ，６ａに重ねて、取付ねじ８，８を締め付ければよい。
【００２７】
なお、２つのソケット台のうちの一方に支持されたランプソケットは固定されているが、他方に支持されたランプソケットは両ランプソケット間の距離を短くする向きに付勢するばね（図示せず）によって可動できるように構成されているので、配光制御部材４を取り付けていない状態では、ランプ１を可動となっているランプソケット側へ押しつければ固定側のランプソケットからランプ１の一端側を外すことが可能となるから、ランプ１を交換することができる。
【００２８】
しかして、本実施形態の照明器具では、配光制御部材４の着脱が可能で配光制御部材４を交換することで配光を変化させることができ、配光制御部材４をランプ１に重ならない位置で固定することができるので、見栄えを良くすることができる。また、配光制御部材４を取り付けていない状態でも使用でき、しかも、配光制御部材４が取り付けられていない状態で取付孔９ａを覆う蓋体６１が設けられているので、見栄えを良くすることができる。また、蓋体６１はエンド部材６に切除可能に設けられているので、配光制御部材４を取り付ける場合には蓋体６１を切除すればよく、配光制御部材４の取り付けに際して蓋体６１が邪魔になるのを防止することができる。なお、本実施形態では、取付孔９ａが固定部を構成している。
【００２９】
（実施形態２）
本実施形態の照明器具の基本構成は実施形態１と略同じであって、図４に示すように、ランプソケット１２が固着されたソケット台１３から延設された固定片９に固定部たる取付孔９ａが形成されている。本実施形態では、蓋体６１がエンド部材６とは別体であって、図３および図４（ａ）に示すように取付孔９ａを覆う位置と図４（ｂ）に示すように取付孔９ａを覆わない位置との間で固定片９に沿ってスライド自在となるようにエンド部材６に保持されている点が相違する。他の構成は実施形態１と同様なので図示および説明を省略する。
【００３０】
蓋体６１は、図５に示すようにスライド方向の一端部の両側部に突片６１ｂ，６１ｂが突設されている。一方、エンド部材６には蓋体６１の突片６１ｂ，６１ｂをスライド自在に保持するガイド溝６２が形成されるとともに、蓋体６１の突片６１ｂ，６１ｂをガイド溝６２に落とし込む挿入溝６３が形成されており、挿入溝６３から挿入した蓋体６１の突片６１ｂ，６１ｂがガイド溝６２の内側面と固定片９との間に挟まれてスライド自在に保持されるようになっている。
【００３１】
しかして、本実施形態の照明器具では、実施形態１と同様、配光制御部材４の着脱が可能で配光制御部材４を交換することで配光を変化させることができ、配光制御部材４をランプ１に重ならない位置で固定することができるので、見栄えを良くすることができる。また、配光制御部材４を取り付けていない状態でも使用でき、しかも、配光制御部材４が取り付けられていない状態で取付孔９ａを覆う蓋体６１が設けられているので、見栄えを良くすることができる。また、蓋体６１が、固定部たる取付孔９ａを覆う位置と取付孔９ａを覆わない位置との間でスライド自在となるように灯具２に保持されているので、配光制御部材４を一度取り付けてから取り外した場合でも、取付孔９ａを蓋体６１により覆うことができる。
【００３２】
（実施形態３）
本実施形態の照明器具は、図６に示すように、蓋体６１が取付孔９ａを覆う位置と覆わない位置との間でスライド自在となるようにエンド部材６に保持されている点は実施形態２と同様であるが、本実施形態では、エンド部材６の下壁６ａにおいて固定片９に対応する部位にエンド部材６内へ取付ねじ８を挿入する挿入口６ｂが穿孔されており、コイルスプリングからなる復帰ばね６５によって蓋体６１が取付孔９ａおよび挿入口６ｂを塞ぐ向きに付勢されている点が相違する。なお、実施形態２と同様の構成要素には同一の符号を付して説明を省略する。
【００３３】
ところで、蓋体６１の下面側には取付ねじ８の先端部が当接する傾斜面６１ａが形成されている。ここに、傾斜面６１ａは復帰ばね６５から離れるにつれて固定片９からの距離が徐々に小さくなっている。したがって、取付ねじ８を挿入口６ｂを通してエンド部材６内へ押し込むことにより、復帰ばね６５のばね力に抗して蓋体６１が開くので、取付ねじ８を取付孔９ａに螺合させることが可能となり、取付ねじ８を外せば蓋体６１が復帰ばね６５の復帰力によって取付孔９ａを塞ぐ位置まで戻るようになっている。このため、取付ねじ８がエンド部材６内へ挿入されていないときには、蓋体６１が閉じているので、内部へ塵や埃などが侵入するのを防止することができる。エンド部材６は、挿入口６ｂの開口周縁に、蓋体６１の移動範囲を規制する規制突起６ｃが突設されており、蓋体６１には蓋体６１が挿入口６ｂおよび取付孔９ａを塞ぐ位置で規制突起６ｃに係合する係合突起６１ｃが突設されている。
【００３４】
しかして、本実施形態の照明器具では、実施形態２と同様、配光制御部材４の着脱が可能で配光制御部材４を交換することで配光を変化させることができ、配光制御部材４をランプ１に重ならない位置で固定することができるので、見栄えを良くすることができる。また、配光制御部材４を取り付けていない状態でも使用でき、しかも、配光制御部材４が取り付けられていない状態で取付孔９ａを覆う蓋体６１が設けられているので、見栄えを良くすることができる。また、蓋体６１が、固定部たる取付孔９ａを覆う位置と取付孔９ａを覆わない位置との間でスライド自在となるように灯具２に保持されているので、配光制御部材４を一度取り付けてから取り外した場合でも、取付孔９ａを蓋体６１により覆うことができる。また、灯具２のエンド部材６には蓋体６１が取付孔９ａを覆う方向に蓋体６１を付勢する復帰ばね６５が収納されているので、配光制御部材４を取り付ける際には復帰ばね６５のばね力に抗して蓋体６１をスライドさせればよく、配光制御部材４を一度取り付けてから取り外す際には、復帰ばね６５の復帰力によって取付孔９ａが蓋体６１により覆われるから、取付孔９ａを自動的に覆うことができる。
【００３５】
なお、本実施形態では、復帰ばね６５としてコイルスプリングを採用しているが、復帰ばね６５はコイルスプリングに限定するものではなく、例えば板ばねを採用してもよい。また、取付ねじ８としては、図６に示すように、先端部の形状が先端面に近づくほど外径が小さくなる形状に形成されていることが望ましい。
【００３６】
（実施形態４）
本実施形態の照明器具の基本構成は実施形態１と略同じであって、図７ないし図９に示すように、エンド部材６においてランプソケット１２が露出する部位の両側に上下方向に走る縦長のスリット６６，６６が形成されており、一方のエンド部材６の各スリット６６，６６に帯板状のパネルからなる配光制御部材４の長手方向の一端部を挿入し且つ他方のエンド部材６の各スリット６６，６６に配光制御部材４の長手方向の他端部を挿入して、エンド部材６，６間に２枚の配光制御部材４を保持している点が相違する。なお、実施形態１と同様の構成要素には同一の符号を付して説明を省略する。
【００３７】
配光制御部材４は、長手方向の寸法がエンド部材６，６間の距離よりも長く設定してある。一方、スリット６６は、２枚の配光制御部材４，４の並設方向の幅が配光制御部材４の厚み寸法よりもやや大きく設定され、上下方向の幅が配光制御部材４の短手方向の幅よりも十分に大きな寸法に設定してある。したがって、図１０に示すように、配光制御部材４の両端部をスリット６６，６６に沿って上方へ押し上げることによって、ランプ１の側方に配光制御部材４，４が位置しないような状態を実現でき、灯具２のコンパクト化を図って配光制御部材４，４間の寸法が比較的小さな場合でもランプ１の交換作業を容易に行うことができるのである。
【００３８】
配光制御部材４を取り付ける際には、図９の左右方向を左右方向として説明すれば、配光制御部材４を同図中に一点鎖線で示すように右端部が左端部よりも高い位置になるように傾けた状態で配光制御部材４の右端部を右側のエンド部材６のスリット６６を通してエンド部材６内に深く挿入し、その後、同図中に二点鎖線で示すように配光制御部材４の左端部を持ち上げることで配光制御部材４の傾きを小さくして左端部を左側のエンド部材６のスリット６６に挿入し、続いて同図中に実線で示すように配光制御部材４の傾きをなくせばよい。ここに、エンド部材６内には配光制御部材４の左右方向への移動を禁止する移動規制突起６８が設けられている。逆に、配光制御部材４を灯具２から取り外す場合には、配光制御部材４を図９中に二点鎖線で示すように傾けた後、配光制御部材４をさらに傾けて右端部をエンド部材６内に深く突っ込み、配光制御部材４の左端部を左側のエンド部材６のスリット６６から引き抜き、続いて配光制御部材４の右端部を右側のエンド部材６のスリット６６から引き抜けばよい。
【００３９】
しかして、本実施形態の照明器具においても、配光制御部材４の着脱が可能で配光制御部材４を交換することで配光を変化させることができ、配光制御部材４をランプ１に重ならない位置で固定することができるので、見栄えを良くすることができる。また、配光制御部材４を取り付けていない状態でも使用できる。また、灯具２のコンパクト化を図って配光制御部材４とランプ１との間の隙間が指の入りにくい狭い隙間である場合でも、配光制御部材４を上向きにスライドさせることで配光制御部材４，４を取り外すことなくランプ１の交換作業を容易に行うことができる。また、本実施形態では、配光制御部材４が板状のパネルにより構成されているので、配光制御部材４を取り付けずに保管するような場合でも保管スペースを少なくすることができる。
【００４０】
ところで、図１１に示すようにエンド部材６を外して配光制御部材４，４を取り付けるように構成してもよい。図１１の構成では、ソケット台１３の下端縁から配光制御部材４，４の端部を載置する載置片１４をソケット台１２に直交する方向へ延設してあり、ソケット台１３との間に配光制御部材４を保持するガイド片１５，１５が載置片１４の両側縁から上方へ延設され、配光制御部材４の長手方向への移動範囲を規制するＬ字状の規制片１６，１６が各ガイド片１５，１５においてソケット台１３から遠い側の側縁から延設されている。
【００４１】
なお、上述の配光制御部材４は交換可能であって、図１２に示すように例えば「展示物Ａ」というような表記を印刷しておけば、所謂サインパネルとして使用することができる。
【００４２】
（実施形態５）
本実施形態の照明器具の基本構成は実施形態１と略同じであって、図１３に示すように、配光制御部材４として長手方向に直交する断面が下向きに開放したコ字状であって、弾性を有する拡散シートにより形成されている点に特徴がある。なお、実施形態１と同様の構成要素には同一の符号を付して説明を省略する。
【００４３】
しかして、本実施形態では、配光製制御部材４が弾性材により形成されているので、ランプ１と配光制御部材４との間の隙間が指の入りにくい狭い隙間である場合でも、配光制御部材４を取り外すことなく、図１４に示すようにランプ１と配光制御部材４との間の隙間が大きくなるように配光制御部材４を弾性変形させれば、ランプ１の交換作業を容易に行うことが可能となる。
【００４４】
なお、図１３に示した例では、断面コ字状の配光制御部材４の中央片４ａがつまみねじ２１を用いて反射板５に取り付けられており、中央片４ａがランプ１の上方に位置し、中央片４ａの両側縁から下方へ延設された両側片４ｂ，４ｂがランプ１の側方に位置しているが、配光制御部材４は図１５に示すように一方の側片４ｂをなくした断面逆Ｌ字状に形成してもよい。また、配光制御部材４の軽量化を図ることで、図１６に示すように配光制御部材４を板状の磁石２２を用いて反射板５に取り付けるようにしてもよい。また、配光制御部材４を粘着材（例えば、両面テープ）を用いて反射板５に取り付けるようにすればより見栄えを良くすることができる。
【００４５】
また、本実施形態では、配光制御部材４として拡散シートのようなシート状の部材を用いているので、配光制御部材４の形状として種々の形状の注文に低コストで対応することができ、また、施工現場で配光制御部材４を容易に加工することができるから、施工現場において例えば図１７に示すように配光制御部材４の側片４ｂの下端縁の形状が波状となるように加工することもできる。
【００４６】
また、本実施形態では、配光制御部材４としてランプ１からの光を拡散透過する拡散シートを採用しているが、ランプ１からの光を反射する合成樹脂製（例えば、ポリエチレンテレフタレート製）の反射シートを採用してもよく、反射シートを採用すれば、ウォールウォッシャ的に壁面の明かりをアップすることも可能となる。なお、配光制御部材４の機械的強度によっては配光制御部材４を固定する取付部に板金などを設置した方が良い場合もある。
【００４７】
（実施形態６）
本実施形態の照明器具の基本構成は実施形態１と略同じであって、図１８（ａ），（ｂ）に示すように配光制御部材４がエンド部材６，６ではなくて反射板５に固定されており、反射板５がエンド部材６，６に対して上下方向にスライド自在となる（このとき、配光制御部材４は短手方向に沿って移動することになる）ようにエンド部材６，６に保持されている点に特徴がある。なお、実施形態１と同様の構成要素には同一の符号を付して説明を省略する。
【００４８】
反射板５は、図１９に示すように、長手方向に直交する断面がコ字状であって、短冊状の主片５ａの両側縁から上方へ側片５ｂ，５ｂが延設されており、各側片５ｂの長手方向の両端縁から段差部５ｃを介して連結片５ｄが延設されている。ここにおいて、連結片５ｄは上下方向の寸法が側片５ｂよりも大きく設定してあり、連結片５ｄの下部には上下方向を長手方向とする長孔５ｅが形成されている。ただし、連結片５ｄと側片５ｂとは上端縁が同一平面上に位置している。本実施形態における反射板５は、器具本体（図示せず）の長手方向の両端部において両側部に突設された係合突起１８が図１８（ａ）に示すように長孔５ｅに係合することで器具本体に保持される。
【００４９】
しかして、本実施形態の照明器具では、配光制御部材４の着脱が可能で配光制御部材４を交換することで配光を変化させることができ、しかも配光制御部材４は両端部が器具本体に保持されエンド部材６，６で覆われているので、配光制御部材４を取り付けた状態での見栄えを良くすることができる。また、配光制御部材４を取り付けていない状態でも使用でき、しかも、配光制御部材４が取り付けられていない状態での見栄えを良くすることができるという効果がある。
【００５０】
ところで、配光制御部材４は長手方向に直交する断面が下方に開放したコ字状であって、図１８（ａ）の状態では配光制御部材４の側片４ｂがランプ１（図１８（ｂ）参照）の側方に位置している。これに対して、図１８（ｂ）のように反射板５を上方へ持ち上げた状態では側方からランプ１を視認することが可能となる位置まで配光制御部材４も上方へ移動するので、灯具２のコンパクト化を図って配光制御部材４とランプ１との間の隙間が指の入りにくい狭い隙間である場合でも、配光制御部材４を取り外すことなく、ランプ１の交換作業を行うことが可能となる。
【００５１】
なお、本実施形態のように反射板５を上方にスライドさせる必要がある構造は、配線ダクトに取り付ける照明器具や天井吊り下げ型の照明器具などに適している。
【００５２】
（実施形態７）
本実施形態の照明器具の基本構成は実施形態１と略同じであって、図２０および図２１に示すように、エンド部材６においてランプソケット１２の周囲に、円弧状のスリット６８が形成されており、長手方向に直交する断面が円弧状のパネルからなる配光制御部材４の端部をスリット６８に挿入することで配光制御部材４が灯具２に保持されるように構成されている点に特徴がある。なお、実施形態１と同様の構成要素には同一の符号を付して説明を省略する。
【００５３】
ところで、スリット６８は周方向の長さが配光制御部材４よりも長く設定されており、配光制御部材４は長手方向に直交する面内で回動自在となるようにエンド部材６，６間に保持されている。要するに、配光制御部材４は、例えば図２２（ａ）に示すようにランプ１の側方（図では右横）に位置する状態、同図（ｂ）に示すようにランプ１の上方に位置する状態、同図（ｃ）に示すようにランプ１の下方に位置する状態などをとることができ、配光制御部材４を同図（ｂ）の位置に配置すればランプ１の交換作業を容易に行うことができる。
【００５４】
配光制御部材４のうちスリット６８に挿入された部分は、エンド部材６内に配置された板ばねよりなる押えばね７０（図２３（ａ），（ｂ）参照）が圧接することにより回動位置が位置決めされるようになっている。ここに、本実施形態では、配光制御部材４の長手方向に直交する断面における円弧を含む仮想扇形の中心角を９０度よりも大きく設定してあり、コ字状の押えばね７０の両脚片７０ｂ，７０ｂの少なくとも一方が図２３（ａ），（ｂ）に示すように配光制御部材４に圧接するように、押えばね７０の主片７０ａに対する両脚片７０ｂ，７０ｂの開き角度を９０度よりも大きく設定してある。なお、配光制御部材４は、図２４に示すように、長手方向の端面とエンド部材６の内側面との間に介在し当該内側面から配光制御部材４の端面が離れる向きに付勢されたコイルスプリングよりなる保持ばね７１によって保持される。ここに、保持ばね７１は、コイルスプリングに限らず、板ばねであってもよい。
【００５５】
本実施形態の照明器具を壁際に設置する場合において、配光制御部材４を図２２（ａ）のようにランプ１の側方に位置するように配置すれば、片側配光のウォールウォッシャとして使用することができる。ここにおいて、配光制御部材４がランプ１の光を反射する材料により形成されている場合、配光制御部材４を図２２（ａ）の位置に配置すれば、ランプ１から側方へ放射される光の一部を遮光することができ、同図（ｂ）の位置に配置すれば、ランプ１の下方の照明エリアにおける照度を高めることができ、同図（ｃ）の位置に配置すれば、ランプ１の下方へ放射される光の一部を遮光することができて半間接照明のように天井面を明るくすることが可能となる。
【００５６】
なお、本実施形態では、押えばね７０が、配光制御部材４を長手方向に直交する面内で回動自在となるように保持する保持手段を構成している。
【００５７】
しかして、本実施形態では、配光制御部材４の着脱が可能で配光制御部材４を交換することで配光を変化させることができ、しかも配光制御部材４は両端部がエンド部材６，６内で保持されているので、配光制御部材４を取り付けた状態での見栄えを良くすることができる。また、配光制御部材４を取り付けていない状態でも使用でき、しかも、配光制御部材４が取り付けられていない状態ではスリット６６が見えるだけなので、見栄えを良くすることができる。また、配光制御部材４を取り外すことなく、配光制御部材４を円弧状のスリット６６に沿って回動させることでランプ１の交換作業を容易に行うことが可能となる。
【００５８】
（実施形態８）
本実施形態の照明器具の基本構成は実施形態１と略同じであって、図２５に示すように、配光制御部材４において長手方向に直交する断面の形状がＬ字状に形成され、配光制御部材４の長手方向の両端部がエンド部材６内に配置される点などが相違する。なお、実施形態１と同様の構成要素には同一の符号を付して説明を省略する。
【００５９】
ところで、本実施形態では、図２５（ｂ）および図２６に示すようにエンド部材６が２つの分割体６０ａ，６０ｂにより構成されており、ランプソケット１２が固着された矩形板状のソケット台１３と、タッピングねじ（図示せず）を用いて分割体６０ａに固定されるコ字状の取付台１９とが連続一体に形成されている。ここに、取付台１９は、両脚片１９ｂ，１９ｂ間を連結する連結片１９ａの中央に上記タッピングねじが挿通される挿通孔１９ｅが形成され、分割体６０ａは、挿通孔１９ｅに対応する部位にボス６０ｅが形成されている。したがって、上記タッピングねじを取付台１９の挿通孔１９ｅに挿入してボス６０ｅに螺合させることで取付台１９を分割体６０ａに結合することができる。
【００６０】
取付台１９の両脚片１９ｂ，１９ｂには、配光制御部材４をガイドするガイド片１９ｃ，１９ｃが矩形状の係合孔１９ｄ，１９ｄの内周縁に連続一体に形成されている。ここに、各ガイド片１９ｃ，１９ｃは両脚片１９ｂ，１９ｂそれぞれの一部を互いに近づく向きに切り起こすことにより形成されており、配光制御部材４を側方からスライドさせる際に配光制御部材４の長手方向の端縁をガイドする機能を有している。
【００６１】
分割体６０ｂには、係合孔１９ｄ，１９ｄに係合する一対の係合脚６０ｄ，６０ｄが突設されており、分割体６０ａに結合された取付台１９に結合できるようになっている。なお、本実施形態では、分割体６０ａが第１の分割体を構成し、分割体６０ｂが第２の分割体を構成している。
【００６２】
しかして、本実施形態においても、配光制御部材４を固定する部分が外部から見えないので、見栄えを良くすることができる。また、配光制御部材４を取り外して使用することもできる。
【００６３】
なお、配光制御部材４を図２７に示すように短冊状の形状として長手方向の両端部に段差部４ｄ，４ｄを介して鍔部４ｅ，４ｅを設け、エンド部材６側に鍔部４ｅを嵌め込むスリットを設けるようにしてもよい。ここに、図２７に示した配光制御部材４には、鍔部４ｅから段差部４ｄに跨ってランプソケット１２を通すための切欠部４ｆが形成されている。
【００６４】
なお、上記各実施形態では配線ダクトに取り付ける照明器具について説明したが、ねじやボルトを用いて施工面に取り付ける照明器具に本発明の技術思想を適用できることは勿論である。
【００６５】
【発明の効果】
請求項１の発明は、ランプを保持するランプソケットおよびランプから放射された光を反射する反射部材を有する灯具と、灯具に着脱自在に取付可能でありランプから放射された光による配光を制御する配光制御部材とを備え、灯具は、配光制御部材を取り付ける固定部が配光制御部材を通して見えない位置に設けられ、配光制御部材が取り付けられていない状態で固定部を覆う蓋体が設けられてなるものであり、灯具への配光制御部材の着脱が可能で配光制御部材を交換することで配光を変化させることができ、しかも固定部が配光制御部材を通して見えることもないので、配光制御部材を取り付けた状態での見栄えを良くすることができ、また、配光制御部材を取り付けていない状態でも使用でき、しかも、配光制御部材が取り付けられていない状態で固定部を覆う蓋体が設けられているので、見栄えを良くすることができるという効果がある。
【００６６】
請求項２の発明は、請求項１の発明において、前記灯具は、前記蓋体が切除可能に設けられているので、前記配光制御部材を取り付ける場合には前記蓋体を切除すればよく、前記配光制御部材の取り付けに際して前記蓋体が邪魔になるのを防止することができるという効果がある。
【００６７】
請求項３の発明は、請求項１の発明において、前記蓋体は、前記固定部を覆う位置と前記固定部を覆わない位置との間でスライド自在となるように前記灯具に保持されているので、前記配光制御部材を一度取り付けてから取り外した場合でも前記固定部を前記蓋体により覆うことができるという効果がある。
【００６８】
請求項４の発明は、請求項３の発明において、前記灯具には、前記蓋体が前記固定部を覆う方向に前記蓋体を付勢する復帰ばねが収納されているので、前記配光制御部材を取り付ける際には復帰ばねのばね力に抗して前記蓋体をスライドさせればよく、前記配光制御部材を一度取り付けてから取り外す際には、前記復帰ばねの復帰力によって前記固定部が前記蓋体により覆われるから、前記固定部を自動的に覆うことができるという効果がある。
【００６９】
請求項５の発明は、ランプを保持するランプソケットおよびランプから放射された光を反射する反射部材を有する灯具と、灯具に着脱自在に取付可能でありランプから放射された光による配光を制御する配光制御部材とを備え、配光制御部材が長板状のパネルであって、灯具にはパネルの長手方向の両端部それぞれが挿入され且つパネルを短手方向に沿ってスライド自在に保持するスリットが形成された一対のエンド部材が設けられてなるものであり、配光制御部材の着脱が可能で配光制御部材を交換することで配光を変化させることができ、しかも配光制御部材は両端部がエンド部材のスリットに保持されているので、配光制御部材を取り付けた状態での見栄えを良くすることができ、また、配光制御部材を取り付けていない状態でも使用でき、しかも、配光制御部材が取り付けられていない状態ではスリットが見えるだけなので、見栄えを良くすることができるという効果がある。また、パネルを取り外すことなく、パネルを短手方向に沿ってスライドさせることでランプの交換作業を容易に行うことができるという利点もある。
【００７０】
請求項６の発明は、請求項５の発明において、前記パネルは、弾性材により形成されているので、前記ランプと前記パネルとの間の隙間が指の入りにくい狭い隙間である場合でも、前記パネルを取り外すことなく、前記ランプと前記パネルとの間の隙間が大きくなるように前記パネルを弾性変形させてランプの交換作業を行うことが可能となるという効果がある。
【００７１】
請求項７の発明は、ランプを保持するランプソケットおよびランプから放射された光を反射する反射部材を有する灯具と、反射部材に着脱自在に取付可能でありランプから放射された光による配光を制御する配光制御部材とを備え、反射部材は、配光制御部材が所望の配光を得るための位置とランプの交換を可能とする位置との間で移動可能となるように灯具にスライド自在に保持されてなるものであり、配光制御部材の着脱が可能で配光制御部材を交換することで配光を変化させることができるとともに配光制御部材を取り付けた状態での見栄えを良くすることができ、また、配光制御部材を取り付けていない状態でも使用でき、しかも、見栄えを良くすることができるという効果がある。また、器具のコンパクト化を図って配光制御部材とランプとの間の隙間が指の入りにくい狭い隙間である場合でも、反射部材をスライドさせることで配光制御部材を取り外すことなくランプの交換作業を容易に行うことができるという利点もある。
【００７２】
請求項８の発明は、ランプを保持するランプソケットおよびランプから放射された光を反射する反射部材を有する灯具と、灯具に着脱自在に取付可能でありランプから放射された光による配光を制御する配光制御部材とを備え、配光制御部材は長手方向に直交する断面が円弧状のパネルであって、灯具は、配光制御部材の長手方向の両端部それぞれが挿入される円弧状のスリットが形成されたエンド部材を有し、配光制御部材を前記長手方向に直交する面内で回動自在となるように保持する保持手段がエンド部材内に設けられてなるものであり、配光制御部材の着脱が可能で配光制御部材を交換することで配光を変化させることができ、しかも配光制御部材は両端部がエンド部材内で保持されているので、配光制御部材を取り付けた状態での見栄えを良くすることができ、また、配光制御部材を取り付けていない状態でも使用でき、しかも、配光制御部材が取り付けられていない状態ではスリットが見えるだけなので、見栄えを良くすることができるという効果がある。また、パネルを取り外すことなく、パネルを弧状のスリットに沿って回動させることでランプの交換作業を容易に行うことができるという利点もある。
【００７３】
請求項９の発明は、ランプを保持するランプソケットおよびランプから放射された光を反射する反射部材を有する灯具と、灯具に着脱自在に取付可能でありランプから放射された光による配光を制御する配光制御部材とを備え、灯具は、配光制御部材の長手方向の両端部それぞれを保持する一対のエンド部材を有し、エンド部材は、配光制御部材の端部が長手方向に直交する方向からスライド自在に収納される第１の分割体と、第１の分割体に結合される第２の分割体とからなるものであり、配光制御部材の着脱が可能で配光制御部材を交換することで配光を変化させることができ、しかも配光制御部材は両端部がエンド部材内で保持されているので、配光制御部材を取り付けた状態での見栄えを良くすることができ、また、配光制御部材を取り付けていない状態でも使用でき、しかも、配光制御部材を取り付けていない状態での見栄えを良くすることができるという効果がある。
【図面の簡単な説明】
【図１】実施形態１を示し、（ａ）は分解斜視図、（ｂ）は要部拡大図である。
【図２】同上の要部説明図である。
【図３】実施形態２における要部斜視図である。
【図４】同上における要部説明図である。
【図５】同上における要部説明図である。
【図６】実施形態３における要部説明図である。
【図７】実施形態４における要部斜視図である。
【図８】同上における要部斜視図である。
【図９】同上における配光制御部材の取り付け方の説明図である。
【図１０】同上におけるランプの交換方法の説明図である。
【図１１】同上の要部斜視図である。
【図１２】同上の使用形態ようにおける正面図である。
【図１３】実施形態５を示す要部断面図である。
【図１４】同上の要部説明図である。
【図１５】同上の他の構成例の要部断面図である。
【図１６】同上の別の構成例の要部断面図である。
【図１７】同上の使用形態の説明図である。
【図１８】実施形態６における照明器具の動作説明図である。
【図１９】同上に用いる反射板の斜視図である。
【図２０】実施形態７における要部斜視図である。
【図２１】同上における要部斜視図である。
【図２２】同上の動作説明図である。
【図２３】同上の動作説明図である。
【図２４】同上の他の構成例の要部断面図である。
【図２５】実施形態８を示し、（ａ）は概略断面図、（ｂ）は概略分解図である。
【図２６】同上の要部分解斜視図である。
【図２７】同上の他の構成例における要部斜視図である。
【図２８】従来例を示す照明器具の使用形態における概略斜視図である。
【図２９】同上に用いる配光制御部材の一部破断した斜視図である。
【図３０】同上の照明器具への配光制御部材の取り付け方の説明図である。
【符号の説明】
１　ランプ
２　灯具
４　配光制御部材
５　反射板
６　エンド部材
６ａ　下壁
７　取付板
８　取付ねじ
３０　配線ダクト
６１　蓋体
６２　スリット
【図１】
2004111281.tif 000003
【図２】
2004111281.tif 000004
【図３】
2004111281.tif 000005
【図４】
2004111281.tif 000006
【図５】
2004111281.tif 000007
【図６】
2004111281.tif 000008
【図７】
2004111281.tif 000009
【図８】
2004111281.tif 000010
【図９】
2004111281.tif 000011
【図１０】
2004111281.tif 000012
【図１１】
2004111281.tif 000013
【図１２】
2004111281.tif 000014
【図１３】
2004111281.tif 000015
【図１４】
2004111281.tif 000016
【図１５】
2004111281.tif 000017
【図１６】
2004111281.tif 000018
【図１７】
2004111281.tif 000019
【図１８】
2004111281.tif 000020
【図１９】
2004111281.tif 000021
【図２０】
2004111281.tif 000022
【図２１】
2004111281.tif 000023
【図２２】
2004111281.tif 000024
【図２３】
2004111281.tif 000025
【図２４】
2004111281.tif 000026
【図２５】
2004111281.tif 000027
【図２６】
2004111281.tif 000028
【図２７】
2004111281.tif 000029
【図２８】
2004111281.tif 000030
【図２９】
2004111281.tif 000031
【図３０】
2004111281.tif 000032